(57)【特許請求の範囲】
【請求項１】
蒸発材に接触する上肢または下肢から前記蒸発材に含まれた水が蒸発する際の気化熱によって熱を奪う気化冷却式マットであって、前記蒸発材と、前記蒸発材を保持する板状矩形基盤と、前記板状矩形基盤の周辺部に設けられた堤防と、前記板状矩形基盤の一部に前記堤防に沿って前記板状矩形基盤の長辺方向に設けられた、前記板状矩形基盤との高低差が前記板状矩形基盤の厚さに等しい二ヵ所の保水部、及び中央に設けられた蒸発窓とその外周の蒸発抑制部からなる蓋を有し、前記蒸発材の上面が前記保水部から前記板状矩形基盤にかけて水平である気化冷却式マット
【請求項２】
前記板状矩形基盤、前記堤防、前記蓋、及び前記保水部の素材が、軟質塩化ビニールである請求項１記載の気化冷却式マット
【請求項３】
前記蒸発材が市販のフェイスタオルである請求項１または請求項２記載の気化冷却式マット
【請求項４】
板状磁石によって前記蓋が着脱できる請求項１から請求項３のいずれかに記載の気化冷却式マット
【発明の詳細な説明】
【技術分野】
【０００１】  本発明は、気温の高い夏の夜に快適な睡眠をもたらすマットに関するものである。
【背景技術】
【０００２】  （深部体温と睡眠）
体温には、核心（ｃｏｒｅ）温と外殻（ｓｈｅｌｌ）温がある。外気温の影響を受けやすい外殻温に比べ、核心温または深部体温はその影響を受けにくい。深部体温は３７．５℃くらいであるが、日内リズムがあり、午前２〜６時が最も低く、８〜１０時頃までに急激に上昇し、正午〜１８時に最高値に達してその後下降するが、その変動幅は約１℃である。【０００３】  ヒトは一日で約２０００ｋｃａｌのエネルギーを消費して生命を維持しているが、その７０〜８０％は、熱に変換され体熱となる。体内で産生された熱がまったく体外に放散されないと仮定すると、ヒトの体温は一日で７０〜８０℃にまで上昇する。しかし恒温動物では、外気温に応じて熱放散量を調節して、体温をほぼ一定に保つことができる。（森本武利；“ヒトの体温調節”，繊消誌，ｖ．４４，ｎｏ．５，２００３）。【０００４】  人体は睡眠時に深部体温を下げ、代謝を低下させて休息する。【０００５】  図６は睡眠潜時と深部体温の三日間にわたる測定グラフである（内山  真他；“ヒトの体温調節と睡眠”，日本温泉気候物理医学会雑誌，ｖ．２８（２０１４−２０１５），ｎｏ．１）。睡眠潜時または入眠潜時とは覚醒状態から眠りに入るまでの所要時間のことであり、短いほど眠りにつきやすい。これから深部体温が低くなることが睡眠にとって重要であることがわかる。【０００６】  赤ちゃんが眠い時に手足が温かくなることが知られているが、これは体内の熱を放散して深部体温を下げようとしているためである。【０００７】  （熱輻射と発汗）
人体からの熱の放散のし方には、輻射、伝導、対流、発汗の四種類がある。【０００８】  ２４℃における安静時の熱放散に占める割合は、対流および伝導が約１０％、輻射が約６７％、蒸発が約２３％であるが、暑熱下では気道および皮膚からの蒸発が増加して、対流、伝導および輻射が約１０％、蒸発が約９０％になる（黒島晨汎；環境生理学，第２版，理工学社，１９９３）。【０００９】  赤外線領域での人体からの熱輻射はよく知られている。人体から出る輻射熱が周辺物体から出る輻射熱を上回ると、人体は輻射熱エネルギーを放散するが、逆の場合、人体は外部環境から輻射熱エネルギーを吸収する。【００１０】  輻射熱エネルギーは、シュテファン・ボルツマンの式が示すように、物体の熱力学温度の四乗に比例する。気温が３０℃を越えてくると、外部の物体から人体が熱を吸収するようになる。【００１１】  高温時には、先に述べた輻射、伝導、対流の熱放散機能は失われ、発汗が唯一有効な手段となる（森本武利；“ヒトの体温調節”，繊消誌，ｖ．４４，ｎｏ．５，２００３）。【００１２】  しかし、発汗によって人体からは水分とともにミネラルも失われ、放置しておくと熱中症となり、適切な治療を怠ると死に至る。夜間でもこのような熱中症は起こり、死亡例も報告されている。【００１３】  （夏季における睡眠）
近年、日本では都市の一日の最低気温が２５℃以上のいわゆる熱帯夜が増える傾向にあることは統計上からも認められる。【００１４】  快適な睡眠をとるには、深部体温を下げることが重要である。【００１５】  しかし、気温の高い夏の夜は、睡眠時の深部体温がなかなか下がらず寝苦しい夜となる。
特に、容積比熱の高いコンクリートは蓄熱性が高く、昼間蓄積した熱を夜間に室内にも放出する。【００１６】  ベッドや敷布団は熱を持って寝苦しく、寝具の温度や室内の気温を下げるために一般にエアコンが用いられる。【００１７】  良好な睡眠を得るためにエアコンを使用することは夜間の熱中症を防ぐ上で有効であるが、室内の冷気と屋外の暑気への暴露を繰り返すうちに、身体が急激な温度変化に対応しきれず自律神経失調症になることがある。【００１８】  また、エアコンの使用状況調査によると、冷える、だるい、タイマーが切れて覚醒するという体験を持つ人が半数以上いる。【００１９】  滞在する場所の気温差をできるだけ小さくし、かつ睡眠時に深部体温を下げて快適な睡眠をとることは、夏場の健康維持にとり重要なことである。【００２０】  （エアコンのエネルギー消費上の問題点）
家屋は昼間蓄積した熱を夜間に室内に放散している。エアコンは、この熱を室外に放出しなければならず、無駄なエネルギーを消費している。【００２１】  また、屋外へのこの排熱は都市部のヒートアイランド化の要因の一つとなっている。【００２２】  （既存の寝具冷却装置）
特許文献１の空調ベッド等の装置は、コストが高くなる。【００２３】  特許文献２のウォーターベッドも装置が大きくてコストが高く、大量の水も必要である。また循環する水を冷却するために膨大なエネルギーが要る。【００２４】  特許文献３は保冷剤を寝具に用いたものである。保冷剤は一般に約９９％の水と高吸水性樹脂、防腐剤、形状安定剤を含んでおり、冷凍庫で一旦固化させた後使用する。０℃における水の融解熱は他の物質と比べて極めて大きく８０ｃａｌ／ｇであり、主に氷が融解する時の潜熱で周囲から熱を奪って冷却する。【００２５】  固化した保冷剤はゴツゴツとしていて寝具に向いておらず、肌に直接触れていると凍傷になる危険性がある。また、周囲に水滴が生じて寝具を濡らすことがある。【００２６】  保冷剤を寝具として用いる場合、特許文献３のように厚さを薄くして複数のパーツに小分けしており、使用前に全てのパーツを冷凍しておく必要がある。
【先行技術文献】
【特許文献】
【００２７】
【特許文献１】特開２０１５−０７７４３８
【特許文献２】特開２００６−３２０６４８
【特許文献３】特開２０１０−２０１１４９
【発明の概要】
【発明が解決しようとする課題】
【００２８】  本発明は以上のような問題点を解決するため、余分な熱を外部に排出することなくエアコンの設定温度を高めにすることができ、夜間熱中症の要因である水分やミネラルの喪失を伴わずに身体から効果的に熱を奪って夏季の快適な睡眠をもたらす、高い冷却能力をもった小型かつ低コストな装置を提供することにある。
【発明を解決するための手段】
【００２９】  以上の状況を鑑み、本発明は、蒸発材に接触する上肢または下肢から前記蒸発材に含まれた水が蒸発する際の気化熱によって熱を奪う気化冷却式マットであって、前記蒸発材と、前記蒸発材を保持する板状矩形基盤と、前記板状矩形基盤の周辺部に設けられた堤防と、前記板状矩形基盤の一部に前記堤防に沿って前記板状矩形基盤の長辺方向に設けられた、前記板状矩形基盤との高低差が前記板状矩形基盤の厚さに等しい二ヵ所の保水部、及び中央に設けられた蒸発窓とその外周の蒸発抑制部からなる蓋を有し、前記蒸発材の上面が前記保水部から前記板状矩形基盤にかけて水平である気化冷却式マット、さらに、前記板状矩形基盤、前記堤防、前記蓋、及び前記保水部の素材が、軟質塩化ビニールであり、前記蒸発材が市販のフェイスタオルであり、板状磁石によって前記蓋が着脱できる気化冷却式マットを提供する。
【００３０】  本発明の気化冷却式マットは、前記蒸発材に水道水を含ませ、下肢と寝具の間や上肢と寝具の間に置いて使用する。前記蒸発材は前記蒸発窓で上肢または下肢と接触し、前記蒸発材から水が蒸発する際の気化熱によって身体から熱を奪って冷却する。その際、扇風機またはエアコンによって前記蒸発材に含まれた水の気化を促進させることが望ましい。
【００３１】  前記板状矩形基盤は前記蒸発材を保持する。
【００３２】  前記蒸発材の一部は前記蒸発抑制部の下にある。
【００３３】  前記堤防は、前記板状矩形基盤の周辺部に設けられ、高さ数ｍｍ程度である。
【００３４】  前記保水部は、前記板状矩形基盤の一部に前記堤防に沿って前記板状矩形基盤の長辺方向に二ヵ所設けられ、前記板状矩形基盤との高低差は前記板状矩形基盤の厚さに等しい。前記保水部は、簡便には前記板状矩形基盤の一部を穿った箇所の下部に底部材を固着して形成される。
【００３５】  前記蒸発材はその上面が前記保水部から前記板状矩形基盤にかけて水平となっている。前記蒸発材の厚さは前記板状矩形基盤において前記板状矩形基盤の厚さに等しく、前記保水部においてその２倍であることが好ましい。前記蒸発材として前記フェイスタオル２枚を重ねて用い、それぞれの長辺の端を折ったものを前記保水部に入れて用いることができる。
【００３６】  前記板状矩形基盤、前記堤防、前記蓋、前記保水部、前記底部材の素材は、寝具としての柔軟性と加工の容易さから軟質塩化ビニールであることが好ましい。
【００３７】  前記板状磁石は、柔軟性を有するゴム磁石が望ましく、前記堤防の一部を切り欠いた箇所にある前記板状矩形基盤と前記蓋にそれぞれ固着して形成される。
【発明の効果】
【００３８】  前記堤防は、前記蒸発材に水を含ませ過ぎた状態でも水が寝具へ流出することを防ぐ。
【００３９】  前記蒸発抑制部の下には前記蒸発窓の四周に位置する前記蒸発材がある。前記蒸発抑制部は、前記蒸発材からの余分な蒸発を抑え、前記蓋の中央に設けられた前記蒸発窓から水分が蒸発するにつれ、毛細管現象によって前記蒸発抑制部の下に位置する前記蒸発材から前記蒸発窓の下に位置する前記蒸発材へ水が移動し、長時間の冷却効果を維持することができる。
【００４０】  前記蒸発材の上面は前記保水部から前記板状矩形基盤にかけて水平なので、前記蒸発材の水は前記保水部から前記板状矩形基盤にかけて水平方向の毛細管現象で移動する。重力に抗して水が上昇する必要がないので毛細管現象が起こり易く、水が容易に補給される。
【００４１】  また、前記保水部は前記板状矩形基盤の長辺方向に二ヵ所設けられており、前記板状矩形基盤と前記保水部の境界が長いため、前記蒸発材に含まれた水が前記保水部から前記板状矩形基盤にかけ毛細管現象によって移動する際の通過断面積が広く、前記板状矩形基盤の上に位置する前記蒸発材へ水が良好に補給される。
【００４２】  以上の二点から本発明の気化冷却式マットは毛細管現象による十分な水の補給が可能となる。
【００４３】  また、前記保水部は、前記蒸発材から溢れるほどに水を加えた場合もこれを保持することができるので、冷却時間と冷却能力がさらに増大し、より高温時への対応能力も増す。
【００４４】  寝具に用いる気化冷却式マットは、第一に厚さが薄いこと、第二に十分な冷却時間と冷却能力が求められる。本発明の気化冷却式マットは、前記蒸発材、前記板状矩形基盤、前記堤防、前記蓋、前記保水部を上記のように構成することでそれが可能となる。
【００４５】  睡眠中の寝返り等によって前記蓋が外れないために、前記蓋を固定する必要がある。クリップ等で固定することはできるが、容積が大きく、また着脱に手間がかかる。前記板状磁石を設けることにより、かさばることなく、かつ簡便に前記蓋が着脱できる。
【００４６】  前記蒸発材は、繰り返し使用するうちにスケールが蓄積して毛細管現象が起こりにくくなり冷却機能が低下していく。カルシウムスケールは比較的除去しやすいが、シリカ系のスケールは劇薬を用いなければならず家庭での除去は困難であり、前記蒸発材は消耗品として交換する必要がある。
【００４７】  本発明の気化冷却式マットの前記蒸発材は、市販のフェイスタオルに対応しており、安価かつ容易に入手することができる。
【００４８】  本発明の蒸発材は寝具と肌の間にあって、水が蒸発する際の気化熱で人体から直接熱を奪うため強い冷却効果をもつ。
【００４９】  気温が高くなると発汗が人体からの唯一の熱放散手段となり、水分やミネラルが失われて熱中症のリクスが高まるが、本発明の気化冷却式マットは、身体からのこのような喪失を伴わないで気化冷却効果の恩恵だけをもたらし、夜間熱中症のリスクを低減する。
【００５０】  夏の夜に寝苦しいのは、睡眠をとるために身体の深部温度を下げる必要があるのに、熱放散ができないことが原因である。実際、本発明の気化冷却式マットを使用した時の“ひんやり感”という感覚的印象は、気化冷却効果とその快適さを表している。
【００５１】  さて、人は睡眠中体を動かすことが知られている。健康な青年男女３５名の睡眠中の体動を、被験者の快適と思う室温でタオルケットを寝具として観察した結果によると、８時間睡眠の平均で、体幹の変化のある寝返りが３８回、その他の細体動が１２２回、両者合わせて１６０回の体動があった。時間あたり２０回、すなわち３分に一回何かしら体の動きがあった（久保博子；“青年男女の寝姿勢と体動に関する研究”，日本人間工学会第４９回大会）。
【００５２】  さらに、気温の高い夏季には体動回数が増えることも報告されている。睡眠中の体動によって本発明の気化冷却式マットから離れた身体部位には、体表に若干の水分が付着しており、これが蒸発する際にも冷却効果が得られる。
【００５３】  また、気化熱により気化冷却式マット自体の表面温度が下がっているので、体動によって新たに接触した身体から熱伝導によって体温を下げる効果がある。
【００５４】  また、気化熱によって蒸発した水蒸気を含む微小気流の温度は、室内気温に比べて低下しており、これによる人体の冷却効果もある。
【００５５】  本発明の気化冷却式マットの気化熱による冷却効果は、前記蒸発材由来の水が蒸発する際のこれらの人体に対する冷却効果を含む。
【００５６】  本発明の気化冷却式マットは、夜間に家屋から室内へ放出される熱の排除には殆ど関与せず、肝要な目的である身体からの除熱のみを効果的に行う。
【００５７】  扇風機を併用した場合、現下における扇風機の電力はエアコンのそれの約１／１０であり、脱炭素化社会へ貢献する。また、エアコンのように熱を屋外に排出することはなく、都市部の気温上昇の抑制に直接的な効果がある。
【００５８】  また、エアコンを併用すると、エアコンの設定温度を高めにすることができ、消費エネルギーの低減に寄与するとともに、自律神経失調症の抑制にもつながる。
【００５９】  さらに、エアコンを除湿モードで併用した場合、人体とその付近から気化熱として奪った熱がエアコン上で凝縮熱として与られ、夜間に家屋から室内へ放出される熱の排除には殆ど関与しないので余分な電力を消費しない。また、この場合、水→水蒸気→水という水の潜熱を介した新たな熱移送法が実現する。
【００６０】  本発明の気化冷却式マットは、特許文献１や特許文献２のような大掛かりな装置を必要とせず、低コストで効率的に身体から熱を取り除くことができる。
【００６１】  水の融解熱は、０℃で８０ｃａｌ／ｇであるのに対し、気化熱は２５℃で５８４ｃａｌ／ｇである。１ｇ、０℃の氷が２５℃の水になる際に吸収する熱量は、８０＋２５＝１０５ｃａｌ／ｇである。本発明の気化冷却式マットは、特許文献３のような保冷剤を用いた装置と比べ、同じ質量の水で約５．６倍の冷却能力があり、少ない面積あるいは薄い厚さで身体から熱を取り除くことができる。
【００６２】  また、本発明の気化冷却式マットは、前記保冷剤を寝具に用いた場合と比べ、柔軟であり寝具として適している。
【００６３】  また、本発明の気化冷却式マットは、前記保冷剤を寝具に用いた場合と比べ、事前に数時間以上かけて冷凍しておく必要がなく、就寝時に短時間で準備ができ、保冷剤を冷凍することを忘れて就寝時に使えないということが無い。
【図面の簡単な説明】
【００６４】
【図１】蒸発材１、板状矩形基盤２、及び堤防３を有した気化冷却式マットを示す図で、（ａ）はその斜視図、（ｂ）は中央部におけるｘｚ平面断面図である。
【図２】前記蒸発材１、前記板状矩形基盤２、前記堤防３、及び蓋６を有した気化冷却式マットを示す図で、（ａ）はその斜視図、（ｂ）は中央部におけるｘｚ平面断面図、（ｃ）は前記蓋６の平面図である。
【図３】本発明のフェイスタオル１ｆ、板状矩形基盤２２、前記堤防３、前記蓋６、二つの保水部７ａ，７ｂ、及び底部材８ａ，８ｂを有した気化冷却式マットを示す図で、（ａ）はその斜視図、（ｂ）は中央部におけるｘｚ平面断面図である。
【図４】（ａ）は図３（ｂ）で前記フェイスタオル１ｆを除いた図、（ｂ）は前記板状矩形基盤２２の平面図である。
【図５】本発明の前記フェイスタオル１ｆ、前記板状矩形基盤２２、前記堤防３、前記蓋６、二つの前記保水部７ａ，７ｂ、前記底部材８ａ，８ｂ、及び板状磁石９ａ，９ｂからなる９，１０，１１，１２を有した気化冷却式マットであり、（ａ）はその斜視図、（ｂ）は前記蓋６を外した状態のｘ方向からの正面図である。
【図６】深部体温と睡眠潜時の日周期グラフである。内山真他；“ヒトの体温調節と睡眠”，日本温泉気候物理医学会雑誌，ｖ．２８（２０１４−２０１５），ｎｏ．１より。
【図７】本発明の気化冷却式マット１３とエアコン１４を除湿モードで使用した場合の熱力学的考察図である。
【発明を実施するための形態】
【００６５】  以下、図面を用いて本発明の実施の形態をその構成要素に従って説明する。
【００６６】  図１は、板状矩形基盤２の周辺に堤防３を設けたものである。蒸発材１に水を含ませ過ぎた場合も、下肢の圧力によって流れ出た水が寝具を濡らすことを防ぐ。
【００６７】  なお、前記蒸発材１以外の素材は軟質塩化ビニールであることが好ましい。加工が容易である他、素材の柔軟さは補助寝具の素材として適している。なお、当該実施の形態の気化冷却式マットの長辺方向長さは、寝具の短辺方向長さにほぼ等しく、下肢の下に置いて使用する。
【００６８】  図２は、蒸発抑制部４と蒸発窓５を有した蓋６を有するものである。同図（ｂ）の断面図に示すように、前記蒸発材１の一部は、前記蒸発抑制部４の下にある。前記蓋６の短辺付近も同様に前記蒸発材１の一部が前記蒸発抑制部４の下にある。
【００６９】  身体は前記蒸発窓５に位置する前記蒸発材１と接し、水が蒸発する際の気化熱によって冷却されるが、前記蒸発抑制部４によって前記蒸発材１からの余分な蒸発が抑えられ冷却時間を長くすることができる。
【００７０】  図３は、前記蒸発材１として２枚重ねのフェイスタオル１ｆと二つの保水部７ａ，７ｂを有した本発明の気化冷却式マットで、同図（ａ）はその斜視図、同図（ｂ）は中央部におけるｘｚ平面断面図、図４（ａ）は図３（ｂ）で前記フェイスタオル１ｆを除いた図、図４（ｂ）は図４（ａ）の板状矩形基盤２２の平面図である。前記保水部７ａ，７ｂは、前記板状矩形基盤２２の長手方向に沿って空けられた穴２２ａ，２２ｂに底部材８ａ，８ｂを接着して形成される。
【００７１】  前記フェイスタオル１ｆに水道水を含ませ、長辺の端を幾らか折って前記保水部７ａに入れ、前記フェイスタオル１ｆのもう片方の端を折って、前記保水部７ｂに入れる。この時、前記保水部７ａ，７ｂにさらに水を加え、前記フェイスタオル１ｆから前記保水部７ａ，７ｂへ水が染み出るくらいにしてもよい。
【００７２】  前記蒸発窓５から水が蒸発すると、前記フェイスタオル１ｆの前記蒸発抑制部４の下にある部分から、前記フェイスタオル１ｆの前記蒸発窓５にある部分へ毛細管現象によって水分が移動する。前記蒸発抑制部４は図３（ｂ）、図４（ａ）のように前記保水部７ａ，７ｂの上部を完全に覆わない方が好ましい。
【００７３】  前記保水部７ａ，７ｂと前記板状矩形基盤２２の高低差は、前記板状矩形基盤２２の厚さに等しい。また、前記フェイスタオル１ｆ２枚分の厚さは、前記板状矩形基盤２２の厚さに等しく、前記フェイスタオル１ｆの上面は表面の凹凸を抜きにすると全面に渡って水平となる。このため、前記板状矩形基盤２２の上にある前記フェイスタオル１ｆへは、前記保水部７ａ，７ｂにある前記フェイスタオル１ｆの上側の部分１ｆａまたは１ｆｂから、重力に抗する必要のない水平方向の毛細管現象によって水が補給される。
【００７４】  また、前記保水部７ａ，７ｂは前記板状矩形基盤２２の長辺方向に設けられており、前記保水部７ａまたは７ｂの水が、前記１ｆａまたは１ｆｂから前記板状矩形基盤２２上の前記フェイスタオル１ｆへ、毛細管現象によって移動する際の前記フェイスタオル１ｆの通過断面積が広いため、前記板状矩形基盤２２の上にある前記フェイスタオル１ｆへ水が良好に補給される。
【００７５】  これらより、前記板状矩形基盤２２上の前記フェイスタオル１ｆへ前記保水部７ａ，７ｂから毛細管現象による十分な水の補給が可能となる。
【００７６】  本発明の図３の気化冷却式マットは、前記蒸発窓５に位置する前記フェイスタオル１ｆに下肢を接して用いる。
【００７７】  前記気化冷却式マットは扇風機またはエアコンを併用することが望ましい。水の気化熱によってフェイスタオル１ｆは温度が下がっており、これに接した下肢から熱を奪う。また、下肢を動かすと、下肢に付着した僅かな水が蒸発する時にも冷却効果がある。
【００７８】  図５は、板状磁石９，１０，１１，１２によって前記蓋６が着脱できるようにしたものであり、（ａ）はその斜視図、（ｂ）は前記蓋６を外した状態のｘ方向からの正面図である。
【００７９】  前記板状磁石９は、前記蓋６に固着された板状磁石９ａと、前記堤防３を切り欠いた箇所にある前記板状矩形基盤２２に固着された板状磁石９ｂからなり、簡便に前記蓋６を着脱できる。前記板状磁石９，１０，１１，１２，９ａ，９ｂは、ゴム磁石であることが望ましい。
【００８０】  前記ゴム磁石は、柔軟であるとともに線膨張率が軟質塩化ビニールに近く、素材として適している。また、表面を塩化ビニール処理された前記ゴム磁石は既製品として市場に供給されており、前記蓋６や前記板状矩形基盤２２との接着も容易である。
【００８１】  さて、夏にエアコンを使わないで窓を閉めて寝ることは実際には無いが、本発明の気化冷却式マットを扇風機のみで用いる場合、発生した水蒸気を逃すために窓等を開けて使用する。体から奪った熱は水蒸気として室外に排出される。
【００８２】  次に、本発明の気化冷却式マット１０とエアコン１１を除湿モードで使用した場合の熱力学的考察図を図７に示す。
【００８３】  エアコンは部屋全体の空気温度を下げることで人体から熱を奪う。
【００８４】  一方、本発明の気化冷却式マットは、水が蒸発する際に気化熱によって人体から熱を奪った後、その水蒸気がエアコンの熱交換機上で凝縮して水になる際、凝縮熱としてその熱エネルギーをエアコンに与える。
【００８５】  このように本発明の気化冷却式マットとエアコンを併用すると、人体からエアコンへの水の潜熱を介した新たな熱エネルギー移送法が実現する。
【００８６】  本発明の気化冷却式マットは、夏季夜間の家屋から放散される熱の無駄な除去を無くし、本来の目的である人体からの除熱を直接的かつ効果的に行うことによって省エネルギーを実現する。さらに、都市部のヒートアイランド化低減にも直接的な効果がある。
【００８７】  また、長手方向の長さを短くしたものは、上肢の冷却マットとして使用される。
【００８８】  なお、本発明の気化冷却式マットは、寝具のみの適用に限ったものではない。和室では足を延ばして冷却したり、洋室ではソファーのオットマン（足載せ台）に置いて使用したり、長椅子で横になる時も足の下に置いて使用できる。
【００８９】  また、本発明の気化冷却式マットは、冷湿布としても有益である。
【００９０】  筋肉疲労の際に患部を冷やすことが有効であることが知られている。本発明の気化冷却式マットは、立ち仕事で脚に疲れを感じた場合等に、冷湿布として使用することができる。なお、気温が高くない時は扇風機は不要である。
【００９１】  貼布型冷湿布で皮膚表面の温度が数度低下するのは、湿布に含まれる水の気化熱によるものであることが知られているが、前記貼布型冷湿布は長時間貼っていると皮膚からの熱放散機能を妨げてしまう。また、薬剤には副作用があり、長期の連用はできない。
【００９２】  本発明の気化冷却式マットは、前記貼布型冷湿布に比べ、供給できる水量が各段に多く、患部が適時移動するので、冷却効果が維持される。また、副作用が無く長期に渡って連用できる。さらに、再利用ができるので経済的である。
【符号の説明】
【００９３】  １…蒸発材、１ｆ…フェイスタオル、２，２２…板状矩形基盤、２２ａ，２２ｂ…穴、３…堤防、４…蒸発抑制部、５…蒸発窓、６…蓋、７ａ，７ｂ…保水部、８ａ，８ｂ…底部材、９，９ａ，９ｂ，１０，１１，１２…板状磁石、１３…本発明の気化冷却式マット、１４…エアコン。
【図１】
0006644236.tif 000002
【図２】
0006644236.tif 000003
【図３】
0006644236.tif 000004
【図４】
0006644236.tif 000005
【図５】
0006644236.tif 000006
【図６】
0006644236.tif 000007
【図７】
0006644236.tif 000008